(57)【要約】      （修正有）【課題】ソーラーパネル上に取り付けられるように適応させた太陽光発電接続箱のダイオードで動作時に生じた熱が、太陽光発電接続箱のケースの内側で均一に分散するダイオードの配置を提供する。【解決手段】長さ方向に互いに対向する第１の端部および第２の端部と、その幅方向に互いに対向する第１の側部および第２の側部とを有する箱本体と、前記箱本体に受容される複数の導通端子２１０，２２０，２３０および２４０と、複数の表面実装ダイオード３１０，３２０および３３０であって、各ダイオードのアノードピン３１１，３２１又は３３１およびカソードパッド３１２，３２２又は３３２が、夫々、２つの隣接する導通端子上に半田付けされる複数の表面実装ダイオードとを含む太陽光発電接続箱であって、前記複数の表面実装ダイオードは、２つの隣接する表面実装ダイオード間に定められる角度がゼロに等しくないように配置される太陽光発電接続箱。【選択図】図１
2017055642.tif 000002
【特許請求の範囲】
【請求項１】
ソーラーパネル上に取り付けられるように適応させた太陽光発電接続箱であって、
長さ方向に互いに対向する第１の端部および第２の端部と、幅方向に互いに対向する第１の側部および第２の側部とを有する箱本体と、
前記箱本体に受容される複数の導通端子と、
複数の表面実装ダイオードであって、各ダイオードのアノードピンおよびカソードパッドが、夫々、２つの隣接する導通端子上に半田付けされる複数の表面実装ダイオードを備える太陽光発電接続箱であって、
前記複数の表面実装ダイオードは、２つの隣接する表面実装ダイオード間に定められる角度がゼロに等しくないように配置される太陽光発電接続箱。
【請求項２】
前記複数の表面実装ダイオードのうちの少なくとも１つは、前記箱本体の前記長さ方向に非平行に配置される請求項１に記載の太陽光発電接続箱。
【請求項３】
前記複数の導通端子は、前記箱本体の受容室の底面上に順に設置される請求項１に記載の太陽光発電接続箱。
【請求項４】
請求項１に記載の太陽光発電接続箱であって、
当該太陽光発電接続箱は、
前記箱本体の前記第１の端部から前記第２の端部へ順に配置された第１の導通端子、第２の導通端子、第３の導通端子、および第４の導通端子を備える４つの導通端子と、
前記箱本体の前記第１の端部から前記第２の端部へ順に配置された第１の表面実装ダイオード、第２の表面実装ダイオードおよび第３の表面実装ダイオードを備える３つの表面実装ダイオードを備え、
当該太陽光発電接続箱は、
一端が、前記箱本体内へ前記箱本体の前記第１の端部から挿入され、前記第１の導通端子に電気的に接続された第１のワイヤと、
一端が、前記箱本体内へ前記箱本体の前記第２の端部から挿入され、前記第４の導通端子に電気的に接続された第２のワイヤをさらに備え、
前記第１のワイヤは、前記第１の導通端子上に半田付け又は圧着され、
前記第２のワイヤは、前記第４の導通端子上に半田付け又は圧着される太陽光発電接続箱。
【請求項５】
前記第１の導通端子は、前記第２の導通端子に対向する第１の縁を有し、
前記第２の導通端子は、前記第１の導通端子に対向する第１の縁を有し、
前記第１の導通端子の前記第１の縁は、前記箱本体の前記第１の端部に向かって延在する第１の縁区分を有し、
前記第２の導通端子の前記第１の縁は、前記箱本体の前記第１の端部に向かって延在する第１の縁区分を有し、
前記第１の導通端子の前記第１の縁区分および前記第２の導通端子の前記第１の縁区分は、前記箱本体の前記幅方向に互いに対向して且つ互いに離間して配置され、
前記第１の表面実装ダイオードの前記アノードピンは、前記第１の導通端子の前記第１の縁区分の境界領域上に半田付けされ、
前記第１のダイオードの前記カソードパッドは、前記第２の導通端子の前記第１の縁区分の境界領域上に半田付けされる請求項４に記載の太陽光発電接続箱。
【請求項６】
前記第２の導通端子の前記第１の縁は、湾曲路に沿って前記箱本体の前記第１の側部から前記第１の端部に延在する請求項５に記載の太陽光発電接続箱。
【請求項７】
前記第１の導通端子は、前記第２の導通端子の前記第１の縁と、前記箱本体の前記第１の側部および前記第１の端部とによって区画される領域内に配置される請求項６に記載の太陽光発電接続箱。
【請求項８】
前記第４の導通端子は、前記第３の導通端子に対向する第１の縁を有し、
前記第３の導通端子は、前記第４の導通端子に対向する第１の縁を有し、
前記第４の導通端子の前記第１の縁は、前記箱本体の前記第２の端部に向かって延在する第１の縁区分を有し、
前記第３の導通端子の前記第１の縁は、前記箱本体の前記第２の端部に向かって延在する第１の縁区分を有し、
前記第４の導通端子の前記第１の縁区分および前記第３の導通端子の前記第１の縁区分は、前記箱本体の前記幅方向に互いに対向して且つ互いに離間して配置され、
前記第３の表面実装ダイオードの前記アノードピンは、前記第３の導通端子の前記第１の縁区分の境界領域上に半田付けされ、
前記第３のダイオードの前記カソードパッドは、前記第４の導通端子の前記第１の縁区分の境界領域上に半田付けされる請求項７に記載の太陽光発電接続箱。
【請求項９】
前記第３の導通端子の前記第１の縁は、湾曲路に沿って前記箱本体の前記第１の端部から前記第２の端部に延在する請求項８に記載の太陽光発電接続箱。
【請求項１０】
前記第４の導通端子は、前記第３の導通端子の前記第１の縁と、前記箱本体の前記第１の側部および前記第２の端部とによって区画される領域内に配置される請求項９に記載の太陽光発電接続箱。
【請求項１１】
前記第２の導通端子は、前記第３の導通端子に対向する第２の縁を有し、
前記第３の導通端子は、前記第２の導通端子に対向する第２の縁を有し、
前記第２の表面実装ダイオードの前記アノードピンは、前記第２の導通端子の前記第２の縁上に半田付けされ、
前記第２のダイオードの前記カソードパッドは、前記第３の導通端子の前記第２の縁上に半田付けされる請求項１０に記載の太陽光発電接続箱。
【請求項１２】
前記第２の導通端子の前記第２の縁は、湾曲路に沿って前記箱本体の前記第１の側部から前記第２の側部へ延在し、
前記第３の導通端子の前記第２の縁は、湾曲路に沿って前記箱本体の前記第１の側部から前記第２の側部に延在する請求項１１に記載の太陽光発電接続箱。
【請求項１３】
前記第１の表面実装ダイオードは、前記箱本体の前記長さ方向に対して約９０度の角度を有するように配置され、
前記第２の表面実装ダイオードは、前記箱本体の前記長さ方向に対して約４５度の角度を有するように配置され、
前記第３の表面実装ダイオードは、前記箱本体の前記長さ方向に対して約２７０度の角度を有するように配置される請求項１２に記載の太陽光発電接続箱。
【請求項１４】
前記第１の表面実装ダイオードは、前記第２の表面実装ダイオードに対して約４５度の角度を有するように配置され、
前記第２の表面実装ダイオードは、前記第３の表面実装ダイオードに対して約１３５度の角度を有するように配置される請求項１３に記載の太陽光発電接続箱。
【請求項１５】
前記第３の導通端子の表面積が、他の導通端子の表面積よりも大きい請求項４に記載の太陽光発電接続箱。
【請求項１６】
前記第３の導通端子の前記表面積は、前記第２の導通端子の表面積よりも大きく、前記第２の導通端子の前記表面積は、前記第４の導通端子の表面積よりも大きく、前記第４の導通端子の前記表面積は、前記第１の導通端子の表面積よりも大きい請求項１５に記載の太陽光発電接続箱。
【発明の詳細な説明】
【関連出願の相互参照】
【０００１】
本出願は、中国知識産権局にて２０１５年８月２６日に提出された中国特許出願第２０１５２０６５０９３０．１号の利益を主張し、その全開示は、参照によって本明細書に援用される。
【技術分野】
【０００２】
本開示は、ソーラーパネル上に取り付けられる太陽光発電接続箱に関する。
【背景技術】
【０００３】
ソーラーパネル（又はソーラーセルパネル）は、一般的に、太陽エネルギーを収集し、収集した太陽エネルギーを電気エネルギーに変換するように構成されている。ソーラーパネルが雲又は木の葉などによって遮蔽され、ソーラーパネル上に影を作ると、遮蔽されたセル片にヒートプレート効果を生じ、従って、セル片のオーバーバーニングに至る。接続箱におけるダイオードは、セル片がオーバーバーンすることを防止するように、ヒートプレート効果を生じる際にバイパスとして機能させる。
【０００４】
先行技術では、太陽光発電接続箱は、ソーラーパネル上に直接取り付けられ、ソーラーパネルのバスバーと電気的に接続される。太陽光発電接続箱は、複数の導通端子と、各導通端子に半田付けされた複数の表面実装ダイオードとを備え、各ダイオードのアノードおよびカソードが、一対の隣接する導通端子上に夫々半田付けされる。動作中、ダイオードは熱を生じ、次に、生じた熱は、導通端子に伝達される。
【０００５】
先行技術では、隣接する導通端子の対向する縁同士が、互いに平行かつ太陽光発電接続箱の長さ方向に略垂直な線を示し、ダイオードのアノードおよびカソードは、夫々、それらの隣接する導通端子の縁の付近の領域上に半田付けされる。このようにして、導通端子上に溶接されたダイオードの配置方向が完全に一貫しており、各ダイオードの配置方向は、一般的に、太陽光発電接続箱の長さ方向に平行である。ダイオードの現在の配置により、動作時にダイオードが生じた熱は、太陽光発電接続箱のケースの内側で不均一に分散することになり、太陽光発電接続箱の電流容量が低減し、又はダイオードが生じた熱が十分に早く消散せず、経時的にダイオードを劣化又は損傷させる可能性がある。
【発明の概要】
【発明が解決しようとする課題】
【０００６】
本開示の目的は、先行技術の上述の技術的課題又はその他の技術的課題を解決することである。
【課題を解決するための手段】
【０００７】
本開示の１つの目的は、太陽光発電接続箱であって、２つの隣接するダイオードの配置方向が互いに異なり、動作時に前記ダイオードが生じる熱が、当該太陽光発電接続箱の前記箱本体内でより均一に分散され、それにより、当該太陽光発電接続箱の放熱効率ひいては電流容量を改善する太陽光発電接続箱を提供することである。
【０００８】
本開示の一態様によれば、ソーラーパネル上に取り付けられるように適応させた太陽光発電接続箱であって、長さ方向に互いに対向する第１の端部および第２の端部と、幅方向に互いに対向する第１の側部および第２の側部とを有する箱本体と、前記箱本体に受容される複数の導通端子と、複数の表面実装ダイオードであって、各ダイオードのアノードピンおよびカソードパッドが、夫々、２つの隣接する導通端子上に半田付けされる複数の表面実装ダイオードとを備える太陽光発電接続箱であって、前記複数の表面実装ダイオードは、２つの隣接する表面実装ダイオード間に定められる角度がゼロに等しくないように配置される太陽光発電接続箱が提供される。
【０００９】
本開示の例示的実施形態によれば、前記複数の表面実装ダイオードのうちの少なくとも１つは、前記箱本体の前記長さ方向に非平行に配置される。
【００１０】
本開示のさらなる例示的実施形態によれば、前記複数の導通端子は、前記箱本体の受容室の底面上に順に設置される。
【００１１】
本開示のさらなる例示的実施形態によれば、当該太陽光発電接続箱は、４つの導通端子と、３つの表面実装ダイオードとを有する。前記４つの導通端子は、前記箱本体の前記第１の端部から前記第２の端部へ順に配置された第１の導通端子、第２の導通端子、第３の導通端子、および第４の導通端子を備え、前記３つの表面実装ダイオードは、前記箱本体の前記第１の端部から前記第２の端部へ順に配置された第１の表面実装ダイオード、第２の表面実装ダイオードおよび第３の表面実装ダイオードを備える。当該太陽光発電接続箱は、一端が、前記箱本体内へ前記箱本体の第１の端部から挿入され、前記第１の導通端子に電気的に接続された第１のワイヤと、一端が、前記箱本体内へ前記箱本体の第２の端部から挿入され、前記第４の導通端子に電気的に接続された第２のワイヤとをさらに備える。前記第１のワイヤは、前記第１の導通端子上に半田付け又は圧着され、前記第２のワイヤは、前記第４の導通端子上に半田付け又は圧着される。
【００１２】
本開示のさらなる例示的実施形態によれば、前記第１の導通端子は、前記第２の導通端子に対向する第１の縁を有し、前記第２の導通端子は、前記第１の導通端子に対向する第１の縁を有し、前記第１の導通端子の前記第１の縁は、前記箱本体の前記第１の端部に向かって延在する第１の縁区分を有し、前記第２の導通端子の前記第１の縁は、前記箱本体の前記第１の端部に向かって延在する第１の縁区分を有し、前記第１の導通端子の前記第１の縁区分と前記第２の導通端子の前記第１の縁区分は、前記箱本体の前記幅方向に互いに対向し且つ互いに離間しており、前記第１の表面実装ダイオードの前記アノードピンは、前記第１の導通端子の前記第１の縁区分の境界領域上に半田付けされ、前記第１のダイオードの前記カソードパッドは、前記第２の導通端子の前記第１の縁区分の境界領域上に半田付けされる。
【００１３】
本開示のさらなる例示的実施形態によれば、前記第２の導通端子の前記第１の縁は、湾曲路に沿って前記箱本体の前記第１の側部から前記第１の端部に延在する。
【００１４】
本開示のさらなる例示的実施形態によれば、前記第１の導通端子は、前記第２の導通端子の前記第１の縁と、前記箱本体の前記第１の側部および前記第１の端部とによって区画される領域内に配置される。
【００１５】
本開示のさらなる例示的実施形態によれば、前記第４の導通端子は、前記第３の導通端子に対向する第１の縁を有し、前記第３の導通端子は、前記第４の導通端子に対向する第１の縁を有し、前記第４の導通端子の前記第１の縁は、前記箱本体の前記第２の端部に向かって延在する第１の縁区分を有し、前記第３の導通端子の前記第１の縁は、前記箱本体の前記第２の端部に向かって延在する第１の縁区分を有し、前記第４の導通端子の前記第１の縁区分と前記第３の導通端子の前記第１の縁区分は、前記箱本体の前記幅方向に互いに対向し且つ互いに離間しており、前記第３の表面実装ダイオードの前記アノードピンは、前記第３の導通端子の前記第１の縁区分の境界領域上に半田付けされ、前記第３のダイオードの前記カソードパッドは、前記第４の導通端子の前記第１の縁区分の境界領域上に半田付けされる。
【００１６】
本開示のさらなる例示的実施形態によれば、前記第３の導通端子の前記第１の縁は、湾曲路に沿って前記箱本体の前記第１の側部から前記第２の端部に延在する。
【００１７】
本開示のさらなる例示的実施形態によれば、前記第４の導通端子は、前記第３の導通端子の前記第１の縁と、前記箱本体の前記第１の側部および前記第２の端部とによって区画される領域内に配置される。
【００１８】
本開示のさらなる例示的実施形態によれば、前記第２の導通端子は、前記第３の導通端子に対向する第２の縁を有し、前記第３の導通端子は、前記第２の導通端子に対向する第２の縁を有し、前記第２の表面実装ダイオードの前記アノードピンは、前記第２の導通端子の前記第２の縁上に半田付けされ、前記第２のダイオードの前記カソードパッドは、前記第３の導通端子の前記第２の縁上に半田付けされる。
【００１９】
本開示のさらなる例示的実施形態によれば、前記第２の導通端子の前記第２の縁は、湾曲路に沿って前記箱本体の前記第１の側部から前記第２の側部へ延在し、前記第３の導通端子の前記第２の縁は、湾曲路に沿って前記箱本体の前記第１の側部から前記第２の側部に延在する。
【００２０】
本開示のさらなる例示的実施形態によれば、前記第１の表面実装ダイオードは、前記箱本体の前記長さ方向に対して約９０度の角度を有するように配置され、前記第２の表面実装ダイオードは、前記箱本体の前記長さ方向に対して約４５度の角度を有するように配置され、前記第３の表面実装ダイオードは、前記箱本体の前記長さ方向に対して約２７０度の角度を有するように配置される。
【００２１】
本開示のさらなる例示的実施形態によれば、前記第１の表面実装ダイオードは、前記第２の表面実装ダイオードに対して約４５度の角度を有するように配置され、前記第２の表面実装ダイオードは、前記第３の表面実装ダイオードに対して約１３５度の角度を有するように配置される。
【００２２】
本開示のさらなる例示的実施形態によれば、前記第３の導通端子の表面積が、他の導通端子の表面積よりも大きい。
【００２３】
本開示のさらなる例示的実施形態によれば、前記第３の導通端子の前記表面積は、前記第２の導通端子の表面積よりも大きく、前記第２の導通端子の前記表面積は、前記第４の導通端子の表面積よりも大きく、前記第４の導通端子の前記表面積は、前記第１の導通端子の表面積よりも大きい。
【発明の効果】
【００２４】
本開示の様々な例示的実施形態では、２つの隣接するダイオードの配置方向が互いに異なり、動作時に前記ダイオードが生じる熱は、当該太陽光発電接続箱の前記箱本体内でより均一に分散され、それにより、当該太陽光発電接続箱の放熱効率ひいては電流容量を改善するようになっている。
【図面の簡単な説明】
【００２５】
本開示の上記およびその他の特徴は、その例示的実施形態を、添付の図面を参照して詳細に説明することによってより明らかになるだろう。
【図１】本開示の例示的実施形態に係る太陽光発電接続箱の概略的な斜視図を示す。
【図２】図１に示す太陽光発電接続箱における４つの導通端子および３つの表面実装ダイオードの平面的な配置の概略図を示す。
【発明を実施するための形態】
【００２６】
本開示の技術的な課題解決法は、添付の図面を参照し且つ実施形態を組み合わせて詳細に以下に説明されるが、同様の参照番号は、同様の要素を指す。しかしながら、本開示は、様々な形態で実施されることができ、本明細書で示される実施形態に制限されるものとみなされるべきではなく、むしろ、これらの実施形態は、本開示が、十分かつ完全なものになり、当業者に本開示の概念を十分に伝えるように提供されるものである。
【００２７】
さらに、以下の詳細な説明では、説明のために、開示の実施形態の十分な理解を提供するために多くの具体的な細部が示される。しかしながら、これらの具体的な細部を備えずに１つ以上の実施形態が実施され得ることは明らかだろう。場合によっては、図面を簡素にするために、既知の構造および装置が概略的に示されている。
【００２８】
本発明の一般的な技術的概念によれば、ソーラーパネル上に取り付けられるように適応させた太陽光発電接続箱であって、長さ方向に互いに対向する第１の端部および第２の端部と、幅方向に互いに対向する第１の側部および第２の側部とを有する箱本体と、前記箱本体に受容される複数の導通端子と、複数の表面実装ダイオードであって、各ダイオードのアノードピンおよびカソードパッドが、夫々、２つの隣接する導通端子上に半田付けされる複数の表面実装ダイオードとを備える太陽光発電接続箱であって、前記複数の表面実装ダイオードは、２つの隣接する表面実装ダイオード間に定められる角度がゼロに等しくないように配置される太陽光発電接続箱が提供される。
【００２９】
図１は、本開示の例示的実施形態に係る太陽光発電接続箱の概略的な斜視図を示し、図２は、図１に示す太陽光発電接続箱における４つの導通端子２１０，２２０，２３０および２４０と、３つの表面実装ダイオード３１０，３２０および３３０の平面的な配置の概略図を示す。
【００３０】
本開示の例示的実施形態では、ソーラーパネルに取り付けられるように適応させた太陽光発電接続箱が開示される。図１および図２に示すように、この太陽光発電接続箱は、主に、箱本体１００と、複数の導通端子２１０，２２０，２３０および２４０と、複数の表面実装ダイオード３１０，３２０および３３０とを備える。
【００３１】
図１および図２に示すように、図示の実施形態では、箱本体１００は、箱本体１００の長さ方向Ｙに互いに対向する第１の端部（図２では左端部）および第２の端部（図２では右端部）と、箱本体１００の幅方向Ｘに互いに対向する第１の側部（図２では下側部）および第２の側部（図２では上側部）とを有する。導通端子２１０，２２０，２３０および２４０は、箱本体１００に受容され、表面実装ダイオード３１０，３２０および３３０は、表面実装技術（ＳＭＴ）によって導通端子２１０，２２０，２３０および２４０上に取り付けられる。
【００３２】
本開示の例示的実施形態では、図１および図２に示すように、２つの隣接する表面実装ダイオード３１０，３２０および３３０は、それらの間、具体的には、２つの隣接する表面実装ダイオードの軸の間に定められる角度がゼロに等しくないように配置される。図示の実施形態では、第１の表面実装ダイオード３１０は、第２の表面実装ダイオード３２０に対して約４５度の角度を有するように配置され、第２の表面実装ダイオード３２０は、第３の表面実装ダイオード３３０に対して約１３５度の角度を有するように配置される。しかしながら、本開示はこれに限定されない。２つの隣接する表面実装ダイオード３１０，３２０および３３０の間に定められる角度は、９０度、１８０度、又は２７０度などのゼロ以外の任意の角度に等しくてもよい。
【００３３】
上記の実施形態では、太陽光発電接続箱の箱本体１００の内側の２つの隣接する表面実装ダイオード３１０，３２０および３３０の配置方向は互いに異なり、動作時にダイオード３１０，３２０および３３０が生じる熱は、太陽光発電接続箱の箱本体１００内でより均一に分散され、それにより、太陽光発電接続箱の放熱効率ひいては電流容量が改善する。
【００３４】
本開示の一実施形態では、図１および図２に示すように、各表面実装ダイオード３１０，３２０又は３３０は、平らな本体と、この平らな本体の縁から外方に延出する少なくとも１つのアノードピン３１１，３２１又は３３１と、前記平らな本体の底面に位置するカソードパッド３１２，３２２又は３３２とを備える。
【００３５】
図１および図２に示すように、複数の表面実装ダイオード３１０，３２０および３３０は、箱本体１００の長さ方向Ｙと非平行に配置される。複数の導通端子２１０，２２０，２３０および２４０は、箱本体１００の第１の端部から第２の端部へ箱本体１００の受容室の底面上に順に設置される。
【００３６】
図示の実施形態では、図１および図２に示すように、太陽光発電接続箱は、４つの導通端子２１０，２２０，２３０および２４０と、３つの表面実装ダイオード３１０，３２０および３３０とを有し、１つのダイオード３１０，３２０又は３３０は、２つの隣接する導通端子２１０と２２０、２２０と２３０又は２３０と２４０上に表面実装される。
【００３７】
図１および図２に示すように、図示の実施形態では、４つの導通端子２１０，２２０，２３０および２４０は、箱本体１００の長さ方向Ｙに配置される。説明し易くするため、これらの４つの導通端子２１０，２２０，２３０および２４０は、図１における箱本体１００の第１の端部から第２の端部へと順に配置された第１の導通端子２１０、第２の導通端子２２０、第３の導通端子２３０および第４の導通端子２４０を備える。これらの３つの表面実装ダイオード３１０，３２０および３３０は、図１における箱本体１００の第１の端部から第２の端部へと順に配置された第１の表面実装ダイオード３１０、第２の表面実装ダイオード３２０および第３の表面実装ダイオード３３０を備える。
【００３８】
図１および図２に示すように、図示の実施形態では、第１の表面実装ダイオード３１０のアノードピン３１１およびカソードパッド３１２は、夫々、表面実装技術によって第１の導通端子２１０および第２の導通端子２２０上に半田付けされ、第２の表面実装ダイオード３２０のアノードピン３２１およびカソードパッド３２２は、夫々、表面実装技術によって第２の導通端子２２０および第３の導通端子２３０上に半田付けされ、第３の表面実装ダイオード３３０のアノードピン３３１およびカソードパッド３３２は、夫々、表面実装技術によって第３の導通端子２３０および第４の導通端子２４０上に半田付けされる。
【００３９】
引き続き図１および図２を参照すると、図示の実施形態では、この太陽光発電接続箱は、第１のワイヤ１０および第２のワイヤ２０をさらに備える。第１のワイヤ１０の一端は、箱本体１００の第１の端部から箱本体１００に挿入され、第１のワイヤ１０の導体１１は、第１の導通端子２１０に電気的に接続される。具体的には、第１のワイヤ１０の導体１１は、第１の導通端子２１０上に半田付け又は圧着されてもよい。第２のワイヤ２０の一端は、その第１の端部に対向する箱本体１００の第２の端部から箱本体１００に挿入され、第２のワイヤ２０の導体２１は、第４の導通端子２４０に電気的に接続される。具体的には、第２のワイヤ２０の導体２１は、第４の導通端子２４０上に半田付け又は圧着されてもよい。
【００４０】
動作時にダイオードが生じる熱は、主にカソードパッドに集中し、アノードピンには僅かな熱が存在することに注意されたい。従って、カソードパッドが半田付けされる導通端子の熱伝導率を改善する必要がある。
【００４１】
図示の実施形態では、図１および図２に示すように、第１の導通端子２１０は、アノードピン３１１のみと溶接され、第２の導通端子２２０は、アノードピン３２１およびカソードパッド３１２と溶接され、第３の導通端子２３０は、アノードピン３３１およびカソードパッド３２２と溶接され、第４の導通端子２４０は、カソードパッド３３２のみと溶接される。このように、図示の実施形態では、動作時、第１の導通端子２１０に伝達される熱は最も少なく、第４の導通端子２４０に伝達される熱は、第１の導通端子２１０に伝達される熱よりも多く、第２の導通端子２２０又は第３の導通端子２３０に伝達される熱は、第４の導通端子２４０に伝達される熱よりも多い。さらに、第３の導通端子２３０は、第２の導通端子２２０よりも箱本体１００の中心領域にずっと近いため、第３の導通端子２３０の放熱能力は、第２の導通端子２２０の放熱能力よりもはるかに悪いはずである。
【００４２】
さらに、上述のように、第３の導通端子２３０の放熱負荷は、第２の導通端子２２０の放熱負荷よりも大きく、第２の導通端子２２０の放熱負荷は、第４の導通端子２４０の放熱負荷よりも大きく、第４の導通端子２４０の放熱負荷は、第１の導通端子２１０の放熱負荷よりも大きい。従って、本開示の例示的実施形態では、図１および図２に示すように、太陽光発電接続箱の全体的な放熱効率を最適化するために、第３の導通端子２３０の表面積は、第２の導通端子２２０の表面積よりも大きく、第２の導通端子２２０の表面積は、第４の導通端子２４０の表面積よりも大きく、第４の導通端子２４０の表面積は、第１の導通端子２１０の表面積よりも大きい。
【００４３】
さらに、太陽光発電接続箱の全体的な放熱効率をさらに改善するために、本開示の一実施形態では、動作時にダイオード３１０，３２０および３３０が生じる熱がより均一に太陽光発電接続箱の箱本体１００内に分散されるように、２つの隣接する表面実装ダイオード３１０，３２０および３３０の間の距離ができるだけ増加される。
【００４４】
図１および図２に示すように、図示の実施形態では、第１の導通端子２１０は、第２の導通端子２２０に面する第１の縁２１１を有し、第２の導通端子２２０は、第１の導通端子２１０に面する第１の縁２２１を有する。第１の導通端子２１０の第１の縁２１１は、箱本体１００の第１の端部に向かって延在する第１の縁区分２１１ａを有し、第２の導通端子２２０の第１の縁２２１は、箱本体１００の第１の端部に向かって延在する第１の縁区分２２１ａを有する。第１の導通端子２１０の第１の縁区分２１１ａおよび第２の導通端子２２０の第１の縁区分２２１ａは、箱本体１００の幅方向Ｘに互いに対向し且つ互いに離間するように配置される。第１の表面実装ダイオード３１０の軸が幅方向Ｘに平行に配置されるように、第１の表面実装ダイオード３１０のアノードピン３１１は、第１の導通端子２１０の第１の縁区分２１１ａの境界領域上に半田付けされ、第１のダイオード３１０のカソードパッド３１２は、第２の導通端子２２０の第１の縁区分２２１ａの境界領域上に半田付けされる。
【００４５】
このようにして、第１の表面実装ダイオード３１０は、できるだけ箱本体１００の第１の端部に近い位置に取り付けられているため、第１のダイオード３１０と第２のダイオード３２０の間の距離が増加している。
【００４６】
同様に、図１および図２に示すように、本開示の一実施形態では、第４の導通端子２４０は、第３の導通端子２３０に対向する第１の縁２４１を有し、第３の導通端子２３０は、第４の導通端子２４０に対向する第１の縁２３１を有する。第４の導通端子２４０の第１の縁２４１は、箱本体１００の第２の端部に向かって延在する第１の縁区分２４１ａを有し、第３の導通端子２３０の第１の縁２３１は、箱本体１００の第２の端部に向かって延在する第１の縁区分２３１ａを有する。第４の導通端子２４０の第１の縁区分２４１ａおよび第３の導通端子２３０の第１の縁区分２３１ａは、箱本体１００の幅方向Ｘに互いに対向し且つ互いに離間するように配置される。第３の表面実装ダイオード３３０の軸が、幅方向Ｘに平行に配置されるように、第３の表面実装ダイオード３３０のアノードピン３３１は、第３の導通端子２３０の第１の縁区分２３１ａの境界領域上に半田付けされ、第３のダイオード３３０のカソードパッド３３２は、第４の導通端子２４０の第１の縁区分２４１ａの境界領域上に半田付けされる。
【００４７】
このようにして、第３の表面実装ダイオード３３０は、できるだけ箱本体１００の第２の端部に近い位置に取り付けられているため、第３のダイオード３３０と第２のダイオード３２０の間の距離が増加している。
【００４８】
図示の実施形態では、図１および図２に示すように、第２の導通端子２２０の第１の縁２２１は、湾曲路に沿って箱本体１００の第１の側部から第１の端部へ延在する。第１の導通端子２１０は、第２の導通端子２２０の第１の縁２２１と、箱本体１００の第１の側部および第１の端部とによって区画される領域内に配置される。
【００４９】
図示の実施形態では、図１および図２に示すように、第３の導通端子２３０の第１の縁２３１は、湾曲路に沿って箱本体１００の第１の側部から第２の端部へ延在する。第４の導通端子２４０は、第３の導通端子２３０の第１の縁２３１と、箱本体１００の第１の側部および第２の端部とによって区画される領域内に配置される。
【００５０】
図１および図２に示すように、本開示の一実施形態では、第２の導通端子２２０は、第３の導通端子２３０に対向する第２の縁２２２を有し、第３の導通端子２３０は、第２の導通端子２２０に対向する第２の縁２３２を有する。第２の表面実装ダイオード３２０のアノードピン３２１は、第２の導通端子２２０の第２の縁２２２上に半田付けされ、第２のダイオード３２０のカソードパッド３２２は、第３の導通端子２３０の第２の縁２３２上に半田付けされる。
【００５１】
図１および図２に示すように、本開示の一実施形態では、第２の導通端子２２０の第２の縁２２２は、湾曲路に沿って箱本体１００の第１の側部から第２の側部へ延在する。第３の導通端子２３０の第２の縁２３２は、湾曲路に沿って箱本体１００の第１の側部から第２の側部へ延在する。
【００５２】
図示の実施形態では、図１および図２に示すように、第１の表面実装ダイオード３１０は、その軸が、箱本体１００の長さ方向Ｙに対して約９０度の角度を有するように配置され、第２の表面実装ダイオード３２０は、その軸が、箱本体１００の長さ方向Ｙに対して約４５度の角度を有するように配置され、第３の表面実装ダイオード３３０は、その軸が、箱本体１００の長さ方向Ｙに対して約２７０度の角度を有するように配置される。
【００５３】
図１および図２に示すように、図示の実施形態では、導通端子２１０，２２０，２３０および図２４０の各々には、複数の配置孔２０１が形成され、箱本体１００の内部の底壁には、導通端子２１０，２２０，２３０および２４０を配置して固定するために、配置孔２０１と夫々係合する複数の配置スタブ１０１が形成される。
【００５４】
図１および図２に示すように、図示の実施形態では、ソーラーパネル（図示せず）上に設けられたバスバー４０１が箱本体１００に挿入され、導通端子２１０，２２０，２３０および２４０に夫々半田付けされる。
【００５５】
本開示は、添付の図面を参照して説明されたが、添付の図面に開示された実施形態は、本開示の好適な実施形態を例示的に説明することが意図されており、本開示の制限とみなされるべきではない。
【００５６】
本開示の一般的概念のいくつかの実施形態が示され、説明されたが、当業者には、これらの実施形態において、請求項およびそれらの均等物によってその範囲が定められる本開示の原理および精神から逸脱することなく、様々な変更又は修正がなされ得ることが理解されるだろう。
【００５７】
本明細書にて使用されるように、「備える（ｃｏｍｐｒｉｓｉｎｇ）」又は「有する（ｈａｖｉｎｇ）」という用語は、その他の要素又はステップを排除しないものと理解されるべきであり、「１つの（ａ）」又は「１つの（ａｎ）」という用語は、複数の要素又はステップを排除しないものと理解されるべきである。さらに、請求項におけるいずれの参照番号も、本開示の範囲の制限として理解されるべきではない。
【図１】
2017055642.tif 000003
【図２】
2017055642.tif 000004
【外国語明細書】
2017055642000001.pdf